(57)【要約】【課題】広範囲の感動値のリードスイッチを使用し得る近接スイッチおよびその製造方法を提供する。【解決手段】ケース内にリードスイッチを有する近接スイッチにおいて、リードスイッチの組み込み位置が、ケース内の複数位置に配設された複数のリードスイッチの支持部において、リードスイッチと、検出対象物もしくは検出対象物と連動する物体に設置された永久磁石との距離を変えるように選択可能である近接スイッチ、およびリードスイッチの感動値により、リードスイッチの組み込み位置を選択するようにした近接スイッチの製造方法。【選択図】        図１
2004288556.tif 000002
【特許請求の範囲】
【請求項１】
ケース内にリードスイッチを有する近接スイッチにおいて、リードスイッチが、ケース内のリードスイッチと、検出対象物もしくは検出対象物と連動する物体に設置された永久磁石との距離を変えるように配設された複数位置にあるリードスイッチ支持部に、前記リードスイッチの感動値に基づき選択され組み込まれていることを特徴とする近接スイッチ。
【請求項２】
前記支持部が、ケースと一体成形されてなることを特徴とする請求項１に記載の近接スイッチ。
【請求項３】
リードスイッチのケースへの組み込み時において、ケース内におけるリードスイッチの組み込み位置が、リードスイッチと、検出対象物もしくは検出対象物と連動する物体に設置された永久磁石との距離を変えるために、複数の位置から選択されることを特徴とする近接スイッチの製造方法。
【請求項４】
前記ケース内におけるリードスイッチの組み込み位置が、組み込まれるリードスイッチにおける感動値の大きさによって、リードスイッチと、検出対象物もしくは検出対象物と連動する物体に設置された永久磁石との距離を変えるために、位置選択されるようにしたことを特徴とする請求項３に記載の近接スイッチの製造方法。
【発明の詳細な説明】
【０００１】
【発明の属する技術分野】
この発明は、物体が近づいたことを非接触式にて検出することのできる近接スイッチおよびその製造方法に関するものである。
【０００２】
【従来の技術】
一般に従来の近接スイッチは、例えば、蓋などの開閉作動を検出するものや、ガスおよび液体などの流量を測定するセンサとして利用される。基本的に永久磁石とリードスイッチとの組み合わせで動作するものである。
この永久磁石は検出対象物、もしくは検出対象物と連動する物体に設置されており、この永久磁石の接近、隔離による磁気吸引力の変化によってリードスイッチを動作させて検出を行なう仕組みとなっている。（例えば、特許文献１参照）
【０００３】
この近接スイッチに用いられるリードスイッチの感度（以下、感動値）と近接スイッチとしてのＯＮおよびＯＦＦ範囲については、リードスイッチの製造において、例えば、２５ＡＴの感動値を狙ったとしても、製造上のばらつきによってある幅を持った感動値分布が生じる。従って、近接スイッチの仕様としては、永久磁石とリードスイッチによるＯＮおよびＯＦＦの範囲により変える必要があり、例えば２０ＡＴから３０ＡＴの感動値を持つリードスイッチを用いられることになる。
【０００４】
【特許文献１】
特開２０００−１４９７４１号公報  （第２頁左欄２０〜２５行）
【０００５】
【発明が解決しようとする課題】
しかしながら、従来の近接スイッチでは、適用できるリードスイッチの感動値範囲が狭く、リードスイッチの製造時に生じた、例えば２０ＡＴから３０ＡＴの感動値の範囲を超えて適用することができなかった。
そのため、近接スイッチに適用できるリードスイッチの出現率低下による近接スイッチのコストアップの問題があり、これに対して広範囲の感動値のリードスイッチを使用し得る近接スイッチが望まれていた。
【０００６】
【課題を解決するための手段】
本発明の近接スイッチは、ケース内のリードスイッチが、リードスイッチと、検出対象物もしくは検出対象物と連動する物体に設置された永久磁石との距離を変えるように配設された複数のリードスイッチ支持部に、リードスイッチの感動値に基づき選択され組み込まれたものであり、
これにより、広範囲にばらつく感動値を有するリードスイッチを使用し得るものである。
【０００７】
また、本発明の近接スイッチの製造方法は、ケースに組み込むリードスイッチにおける感動値によって、選択的にリードスイッチの組み込み位置を自在に変更し得るようにしたものであり、広範囲にばらつく感動値を有するリードスイッチでも効率良く適宜に近接スイッチに組み込むことができる。
【０００８】
【発明の実施の形態】
［実施の形態１］
図１は、本発明の実施の形態１における、構成を示す説明図である。
図において、１はケース、２は挿抜部、３は嵩上げ部、４は保持部、５は上方支持部、６は下方支持部、７はリードスイッチ、８はリード、９は基板、１０は永久磁石、１１ａは中間指示部ａ、１１ｂは中間支持部ｂである。
【０００９】
この種の近接スイッチでは、強磁性体からなるリード片を対向配置させてガラス管内に封入したリードスイッチを用いており、各種応用製品に適用しやすいようにプラスチック成形されたケースに収納した形態となっている。
【００１０】
ケース１には、プラスチック成形によって上方支持部５と下方支持部６および中間支持部１１ａ、１１ｂが一体化して形成されている。また、挿抜部２と嵩上げ部３、さらに保持部４も形成されており、リードスイッチ７は前記保持部４によって前記ケース１に固定されている。
【００１１】
また、基板９に対しては挿抜部２が挿入され、嵩上げ部３によって基板９の表面から一定の距離をもって実装されている。このような実装状態において永久磁石１０は、通常近接スイッチの上方に位置することになる。
下方支持部６と中間支持部１１ａ、または中間支持部１１ａと中間支持部１１ｂ、または中間支持部１１ｂと上方支持部５それぞれの間にリードスイッチ７が位置することにより、基板９からの高さを変更できる構造である。
【００１２】
例えばリードスイッチ７が感動値２０ＡＴから３０ＡＴであれば、中間支持部１１ａと同１１ｂの間にリードスイッチ７を位置させる。一方、例えば感動値２０ＡＴに満たないリードスイッチ７の場合には、下方支持部６と中間支持部１１ａの間にリードスイッチ７を位置させ、これにより近接スイッチと組み合わせて使用される永久磁石１０との距離を離す。
【００１３】
また、例えば感動値３０ＡＴを超えるリードスイッチ７の場合には、中間支持部１１ｂと上方支持部５の間にリードスイッチ７を位置させ、これにより近接スイッチと組み合わせて使用される永久磁石１０との距離を近付ける。
【００１４】
以上のように本実施の形態によれば、ケース１と一体化して形成された各支持部のいずれかを使用することにより、リードスイッチ７の基板９からの高さを変更することができ、広範囲の感動値を有するリードスイッチ７の適用を可能とする近接スイッチを提供し得る。
【００１５】
図３は、リードスイッチ製造における感動値出現分布の１例を示す参考図である。
また、図４は、感動値によるリードスイッチのＯＮ／ＯＦＦ領域の１例を示す参考図である。
リードスイッチの製造においては、例えば２５ＡＴの感動値のものを狙ったとしても、製造上のばらつきによって、図３に示されるように或る幅を持った感動値分布をもって製造される。従って、通常の近接スイッチの仕様としては、永久磁石とリードスイッチによるＯＮおよびＯＦＦの範囲により、例えば、図４に示すように、２０ＡＴから３０ＡＴの感動値をもつリードスイッチが用いなければならない。
【００１６】
これに対して、実施の形態１の近接スイッチは、製造上ばらつきにより必ず生じるリードスイッチ７の感動値範囲について、本来は当該近接スイッチの適用範囲から外れる低い感動値あるいは高い感動値のリードスイッチ７をも適用することができる近接スイッチである。
【００１７】
このため近接スイッチへ適用できるリードスイッチ７の出現率を向上させることができ、結果的に近接スイッチのコストを下げることができる。
なお、リードスイッチ７の支持位置に拘わらず、ケース１本体と基板９との距離は常に一定であるため、近接スイッチの実装においてはなんら留意する必要はない。
【００１８】
［実施の形態２］
図２は、本発明の実施の形態２における、ケース待機位置を示す説明図であり、（ａ）は、感動値が低い場合、（ｂ）は、感動値が適正な場合、および（ｃ）は、感動値が高い場合のケース待機位置をそれぞれ示す。
なお、各構成部分は図１に準じており、各構成部分の符号および説明はこれを省略する。
【００１９】
本実施の形態における、近接スイッチの製造方法について以下説明する。
近接スイッチの組立機に投入されるリードスイッチ７は、そのリードスイッチ７の感動値によって定められた端子長にカットおよび曲げ加工が行なわれる。
投入するリードスイッチ７が、例えば、感動値２０ＡＴに満たないリードスイッチ７の場合では、例えば全長４０ｍｍの端子長、また、投入するリードスイッチ７が、例えば感動値３０ＡＴを超えるリードスイッチ７の場合では、例えば全長４６ｍｍの端子長とする。
【００２０】
次に、カットおよび曲げ加工されたリードスイッチ７はケース１に組み込まれる。近接スイッチの組立機に投入されるリードスイッチ７の感動値によって、リードスイッチ７の組み込みを待つケース１の待機位置は異なる（図２参照）。
【００２１】
例えば、上記した感動値２０ＡＴに満たないリードスイッチ７では、感動値２０ＡＴから３０ＡＴの場合に用いられる支持部（すなわち、中間支持部１１ａと同１１ｂ）の位置に下方支持部６と中間支持部１１ａが位置するようになる。このためカットおよび曲げ加工されたリードスイッチ７は、ケース１の配置に拘わらず、機械的に常に同じ位置においてリードスイッチ７の組み込みを行なうことができる。
【００２２】
以上のように本実施の形態２は、カットおよび曲げ加工されたリードスイッチ７が組み込まれるケース１の待機位置を変化させるようにしたことにより、近接スイッチ組立機における可動部分であるリードスイッチ搬送系をリードスイッチ７の感動値によって変更させるという大掛かりな段取り替えを必要としない。
【００２３】
［実施の形態３］
前記実施の形態１においては、リードスイッチ７の上下方向の位置決めをする支持部に関して、下方支持部６、中間支持部１１ａおよび１１ｂ、上方支持部５の４つを備えた場合について説明したが、本発明においては、リードスイッチ７の上下方向の位置決めをする支持部に関して、この４つに限られず、ケース１のスペースが許す限りにおいて、支持部を複数持つようにしてもよい。これによりより多くの感動値のリードスイッチ７に対応することができる。
【００２４】
また、前記実施の形態２においては、リードスイッチ７について、例えば感動値が２０ＡＴに満たないものをグループにまとめ、グループ毎に近接スイッチ組立機へ投入する場合にゆいて説明したが、本発明においては、リードスイッチ７の感動値を選別する機構を近接スイッチ組立機に付加配設し、さらにケース１の待機位置を連動させてもよい。
これにより、さらに容易に感動値の適用範囲が広い近接スイッチを製造することが可能となる。
【００２５】
【発明の効果】
本発明の近接スイッチによれば、リードスイッチの組み込み位置が、近接スイッチのケース内の複数の支持部において選択できるようにしたことにより、広範囲の感動値のリードスイッチの使用に適用できるようになり、安価な近接スイッチとして提供することができる。
【００２６】
本発明の近接スイッチの製造方法によれば、リードスイッチのケースへの組み込み時において、リードスイッチの組み込み位置を複数選択可能としたことにより、広範囲の感動値のリードスイッチを適宜に効率良く組み込んだ、より安価な近接スイッチを提供することができる。
【図面の簡単な説明】
【図１】本発明の実施の形態１における、構成を示す説明図である。
【図２】本発明の実施の形態２における、ケース待機位置を示す説明図である。（ａ）は感動値が低い場合、（ｂ）は感動値が適正な場合、および（ｃ）は感動値が高い場合を示す。
【図３】リードスイッチ製造における感動値出現分布の１例を示す参考図である。
【図４】感動値によるリードスイッチのＯＮ／ＯＦＦ領域の１例を示す参考図である。
【符号の説明】
１  ケース、２  挿抜部、３  嵩上げ部、４  保持部、５  上方支持部、６  下方支持部、７  リードスイッチ、８  リード、９  基板、１０  永久磁石、１１ａ  中間指示部ａ、１１ｂ  中間支持部ｂ。
【図１】
2004288556.tif 000003
【図２】
2004288556.tif 000004
【図３】
2004288556.tif 000005
【図４】
2004288556.tif 000006